(57)【要約】【課題】  着用形態が着用者の体型に沿った立体的なものとなり、着用感に優れた使い捨ておむつなどの使い捨て吸収性物品を提供すること。【解決手段】  ウエスト部５及び／又はレッグ部６を、その端縁から内方へ向かって略楔形に折り込んでダーツ１４を形成して、ウエスト部５及び／又はレッグ部６を立体的な湾曲形状となすか、又はウエスト部５及び／又はレッグ部６に、その端縁から内方へ向かう略楔形の弾性部材９ｅ〜９ｈであって、幅方向に伸縮可能なものを、伸張状態下に取り付けて、その取付位置を収縮させて、ウエスト部５及び／又はレッグ部６を立体的な湾曲形状形状となした。【選択図】    図３
2006043124.tif 000002
【特許請求の範囲】
【請求項１】
ウエスト部及び一対のレッグ部を有する使い捨て吸収性物品であって、
ウエスト部及び／又はレッグ部を、その端縁から内方へ向かって略楔形に折り込んでダーツを形成して、ウエスト部及び／又はレッグ部を立体的な湾曲形状となすか、又は
ウエスト部及び／又はレッグ部に、その端縁から内方へ向かう略楔形の弾性部材であって、幅方向に伸縮可能なものを、伸張状態下に取り付けて、その取付位置を収縮させて、ウエスト部及び／又はレッグ部を立体的な湾曲形状となした使い捨て吸収性物品。
【請求項２】
前記ダーツ又は前記弾性部材は、平面的な吸収性物品の構成部材を着用者の身体に沿わせようとするときに、たるみの生じる部分に形成されているか、又は取り付けられている請求項１記載の使い捨て吸収性物品。
【請求項３】
前記ダーツは、略楔形に折り込んだ部分をヒートシールによって融着するか、又はホットメルト粘着剤で接着して形成されたものである請求項１又は２記載の使い捨て吸収性物品。
【請求項４】
前記弾性部材が、略楔形の弾性シートからなるか、又は二枚の略楔形の非弾性シート間に、幅方向へ延びる複数の弾性ストランドが伸張状態で挟持固定されているものからなる請求項１又は２記載の使い捨て吸収性物品。
【請求項５】
前記弾性部材は、前記弾性部材と接する領域に存在する他の弾性部材よりも、その収縮力が高くなるように取り付けられている請求項４記載の使い捨て吸収性物品。
【請求項６】
吸収体本体と、該吸収体本体における裏面シート側に配置され且つ吸収性物品の輪郭を画成する外包材とを有し、該外包材にダーツが形成されているか、又は前記弾性部材が取り付けられている請求項１ないし５の何れかに記載の使い捨て吸収性物品。
【請求項７】
表面シート及び／又は裏面シートにダーツが形成されているか、又は前記弾性部材が取り付けられている請求項１ないし５の何れかに記載の使い捨て吸収性物品。
【請求項８】
ウエスト開口部及び一対のレッグ開口部を有するパンツ型のものである請求項１ないし７の何れかに記載の使い捨て吸収性物品。
【請求項９】
テープファスナが取り付けられている展開型のものである請求項１ないし７の何れかに記載の使い捨て吸収性物品。
【請求項１０】
左右両側部からそれぞれ側方に延出し且つ着用者の身体の前側で互いに係止可能な一対の固定用ベルトが取り付けられている請求項１ないし７の何れかに記載の使い捨て吸収性物品。
【発明の詳細な説明】
【技術分野】
【０００１】
本発明は、着用形態が立体的なものとなる使い捨ておむつなどの使い捨て吸収性物品に関する。
【背景技術】
【０００２】
背側のウエスト部に、幅方向へ弾性的に伸縮可能な一対の伸縮領域が形成された使い捨ておむつが知られている（特許文献１参照）。伸縮領域は褶襞部から構成されている。このおむつにおいては、テープファスナを摘持して背側のウエスト部を幅方向外方へ拡開すると、褶襞部が伸長してレッグ弾性部材が湾曲する。特許文献１によれば、レッグ弾性部材が湾曲することによって、着用者の大腿付根部がレッグ弾性部材で環状に取り囲まれるようになるとされている。
【０００３】
しかし、おむつの構成部材は平面的な材料であるのに対して着用者の体型は立体的であるから、平面的な材料からなるおむつを立体的な体型に沿わせようとすると、必然的にたるみが生じる。従って、着用者の大腿付根部がレッグ弾性部材で環状に取り囲まれたとしても、着用者の身体とおむつとは完全にフィットせず、着用中におむつの位置ずれが起きたり、更に位置ずれに起因して漏れが生じることがある。
【０００４】
【特許文献１】特開２００１−８９７０号公報
【発明の開示】
【発明が解決しようとする課題】
【０００５】
従って本発明の目的は、前述した従来技術が有する種々の欠点を解消し得る使い捨ておむつなどの使い捨て吸収性物品を提供することにある。
【課題を解決するための手段】
【０００６】
本発明は、ウエスト部及び一対のレッグ部を有する使い捨て吸収性物品であって、
ウエスト部及び／又はレッグ部を、その端縁から内方へ向かって略楔形に折り込んでダーツを形成して、ウエスト部及び／又はレッグ部を立体的な湾曲形状となすか、又は
ウエスト部及び／又はレッグ部に、その端縁から内方へ向かう略楔形の弾性部材であって、幅方向に伸縮可能なものを、伸張状態下に取り付けて、その取付位置を収縮させて、ウエスト部及び／又はレッグ部を立体的な湾曲形状となした使い捨て吸収性物品を提供することにより前記目的を達成したものである。
【発明の効果】
【０００７】
本発明の吸収性物品は、着用形態が着用者の体型に沿った立体的なものとなるので、着用中に吸収性物品が部分的に緩すぎたり、逆にきつすぎたりすることがなく、着用感に優れたものとなる。また着用者の体型に対して、吸収性物品の構成部材の過不足な部分がないので、着用中に吸収性物品が位置ずれを起こしにくい。それに起因して漏れも起こりにくい。更に、吸収性物品に配された各弾性部材による身体への押圧が吸収性物品全体で均一に作用するので、部分的に締め付けが強い部分が発生しづらい。
【発明を実施するための最良の形態】
【０００８】
以下本発明を、その好ましい実施形態に基づき図面を参照しながら説明する。図１には、本発明の一例であるパンツ型使い捨ておむつの斜視図が示されている。図２には、図１に示すおむつを組み立てる途中の状態の分解斜視図が示されている。図３には図２における外包材の展開状態の平面図が示されている。
【０００９】
図１ないし図３に示すように、本実施形態のおむつ１は、液透過性の表面シート２、液不透過性又は撥水性の裏面シート３及び両シート２、３間に介在配置された液保持性の吸収性コア４を有する実質的に縦長の吸収体本体１０と、該吸収体本体１０の裏面シート３側に配置された外包材１１とを備えている。
【００１０】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁Ａ１，Ａ２と背側部Ｂの両側縁Ｂ１，Ｂ２とが互いに接合されて、おむつ１にはウエスト開口部５及び一対のレッグ開口部６が形成される。この接合によって、おむつ１の左右両側縁には一対のサイドシール部Ｓが形成される。この接合には例えばヒートシール、高周波シール、超音波シール等が用いられる。ウエスト開口部５はおむつ１の着用時に着用者の腰部に位置する部分であり、レッグ開口部６は着用者の大腿付根部に位置する部分である。
【００１１】
表面シート２、裏面シート３及び吸収性コア４はそれぞれ矩形状であり、一体化されて縦長の吸収体本体１０を形成している。表面シート２及び裏面シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。
【００１２】
図２に示すように、吸収体本体１０の長手方向の左右両側には、液抵抗性ないし撥水性で且つ通気性の素材から構成された側方カフス８，８が形成されている。各側方カフス８は、吸収体本体１０の長手方向に沿って固定端部及び自由端部を有している。固定端部は、表面シート２に固定されている。更に、自由端部は、吸収体本体１０の長手方向両端部（図３における上下方向の端部）において表面シート２に固定されている。一方、自由端部の近傍には、側方カフス弾性部材８１が伸張状態で配されている。これにより、図１のように組み立てられたおむつ１を着用させる際には、弾性部材８１が縮むことにより側方カフス８が起立して、吸収体本体１０の幅方向への液の流出が阻止される。
【００１３】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。
【００１４】
外包材１１における前後端部には、前後端縁に沿って、複数のウエスト部弾性部材５１，５１がその幅方向に亘り配されている。各ウエスト部弾性部材５１，５１は、外層不織布１２と内層不織布１３とによって伸張状態で挟持固定されている。各ウエスト部弾性部材５１，５１は、おむつ１の腹側部Ａの両側縁Ａ１，Ａ２と背側部Ｂの両側縁Ｂ１，Ｂ２とを互いに接合させたときに、接合部分において両弾性部材５１，５１の端部同士が重なるように配されているか、又は接合部分の直近の位置に弾性部材５１，５１の端部が位置するように配置されている。これによって、図１に示すように、おむつ１のウエスト開口部５の付近には実質的に連続したリング状のウエストギャザーが形成される。
【００１５】
外包材１１は、吸収体本体１０の前後端縁から外方に延出しており、延出した部分が吸収体本体１０側に折り返されている。折り返された外包材１１は、吸収体本体１０の前後端部上（即ち吸収体本体１０の前後端部における表面シート２上）を被覆している。なお、この構成に代えて、外包材１１における外層不織布１２のみを、外層不織布１２と内層不織布１３とによって各ウエスト部弾性部材５１，５１を挟持固定する部位よりも更に延出させ、延出した外層不織布１２を吸収体本体１０側に折り返させることもできる。
【００１６】
外包材１１における左右両側の湾曲部には、レッグ部弾性部材６１ａ，６１ｂが配されている。各レッグ部弾性部材６１ａ，６１ｂは、前記湾曲部に沿って配されている。各レッグ部弾性部材６１ａ，６１ｂは、外層不織布１２と内層不織布１３との間に配されており、所定の接合手段によって、両不織布１２、１３に伸張状態で固定されている。各レッグ部弾性部材６１ａ，６１ｂは、その一端どうしが股下部Ｃにおいて重なり合っている。一方、他端は腹側部Ａ及び背側部Ｂの各側縁の位置において終端している。各レッグ部弾性部材６１ａ，６１ｂは、おむつ１の腹側部Ａの両側縁Ａ１，Ａ２と背側部Ｂの両側縁Ｂ１，Ｂ２とを互いに接合させたときに、接合部分において両弾性部材６１ａ，６１ｂの端部同士が重なるように配されているか、又は接合部分の直近の位置に弾性部材６１ａ，６１ｂの端部が位置するように配置されている。これによって、図１に示すように、おむつ１のレッグ開口部６、６の付近には実質的に連続したリング状のレッグギャザーが形成される。
【００１７】
おむつ１においては、おむつ１の腹側部Ａ及び背側部Ｂそれぞれにおけるウエスト開口部５とレッグ開口部６との間に、おむつ１の幅方向に延びる弾性部材７１ａが多数配されている。弾性部材７１ａは外層不織布１２と内層不織布１３とによって伸張状態で挟持固定されている。弾性部材７１ａは、おむつ１の腹側部Ａの両側縁Ａ１，Ａ２と背側部Ｂの両側縁Ｂ１，Ｂ２とを互いに接合させたときに、接合部分において腹側部Ａの弾性部材７１ａと背側部Ｂの弾性部材７１ａとの端部同士が重なるように配されているか、又は接合部分の直近の位置に弾性部材７１ａ，７１ａの端部が位置するように配置されている。これによって、図１に示すように、おむつ１の腹側部Ａ及び背側部（図示せず）における胴回り領域７にはギャザーがそれぞれ形成される。
【００１８】
弾性部材７１ａは、おむつ１の左右両側縁（即ち外包材１１の左右両側縁）と吸収性コア４の左右両側縁との間に亘って延在している。そして、吸収性コア４が存在している部位には、弾性部材７１ａは実質的に存在していない。その結果、胴回り領域７に形成されるギャザーは、おむつ１の左右両側縁と吸収性コア４の左右両側縁との間に位置しており、吸収性コア４が存在する位置にはギャザーが実質的に形成されていない。これにより、装着状態においても吸収性コア４が存在している部位は、弾性部材７１ａの収縮により外包材１１が縮むことがなく、おむつ１は外観的にも、また吸収性能的にも良好なものとなる。
【００１９】
本実施形態のおむつ１における各弾性部材としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００２０】
而して本実施形態のおむつ１においては、図３に示すように、外包材１１において、腹側部Ａのウエスト開口部５及び背側部Ｂのウエスト開口部５における複数の箇所を、その端縁から内方へ向かって略楔形に折り込んで複数のダーツを形成している。図３においては、略楔形に折り込む部分を符号９ａ〜９ｄで示してある（以下、この部分を折り込み部という）。ここで略楔形とは、図３に示した折り込み部９ａ〜９ｄのような形状のみならず、図４（ａ）に示すように斜辺が曲線を含むもの、図４（ｂ）及び（ｃ）に示すように左右対称でないもの、図４（ｄ）に示すように先端部に向かって、幅が一旦広くなってから狭くなるものを含む概念である。これらの形状は、ダーツを形成する体型部位や、着用者の発育段階による体型の違いなどにより、おむつを体型の立体形状に沿わせるために最適な形状を選択することが好ましい。腹側部Ａにおける折り込み部９ａ，９ｂは、腹側部Ａの両側縁Ａ１，Ａ２と吸収性コア４の左右両側縁との間に位置している。背側部Ｂにおける折り込み部９ｃ，９ｄは、背側部Ｂの両側縁Ｂ１，Ｂ２と吸収性コア４の左右両側縁との間に位置している。折り込み部９ａ〜９ｄは、おむつ１の長手方向とほぼ一致する方向に延びている。折り込み部９ａ〜９ｄは胴回り領域７に配された弾性部材７１ａを横切るように位置している。また、折り込み部９ａ〜９ｄの先端部は、吸収性コア４の前後端縁よりも内方に位置している。しかし、折り込み部９ａ〜９ｄの先端部は、胴回り領域７に配された弾性部材７１ａのうち最も内方寄りに位置しているものを越えていない。
【００２１】
腹側部Ａにおける２つの折り込み部９ａ，９ｂは同形となっている。同様に、背側部Ｂにおける２つの折り込み部９ｃ，９ｄも同形となっている。腹側部Ａにおける折り込み部９ａ，９ｂと背側部９における折り込み部９ｃ，９ｄとは、対向する位置に位置している。更に、対向する位置に位置している折り込み部９ａと折り込み部９ｃとは同形である。同様に、対向する位置に位置している折り込み部９ｂと折り込み部９ｄも同形である。
【００２２】
折り込み部９ａをおむつ１の肌対向面側に折り込んで、その折り込み状態を固定することで、図１に示すようにウエスト開口部５に複数のダーツ１４が形成される。ここでダーツとは、被服学の用語で、体型の凹凸にあわせて衣服に立体的な丸みやふくらみを出すために、布の一部を折り込んで止めたものを言う。ダーツ１４は、図５（ａ）に示すように、折り込まれた折り込み部９ａをループ状に固定することで形成されるか、又は図５（ｂ）に示すように、折り込まれた折り込み部９ａの内面を全面接合することで形成される。ダーツ１４を形成するには、略楔形に折り込んだ折り込み部９を例えばヒートシールによって融着するか、又はホットメルト粘着剤で接着する。
【００２３】
ウエスト開口部５にダーツ１４が形成されることで、腹側部Ａおよび背側部Ｂからなるおむつ１の胴回り域は、おむつ１の肌対向面が凹となる立体的に湾曲した形状となる。この立体的な湾曲形状は、ウエスト部弾性部材５１および弾性部材７１ａの収縮によって形成される胴回り域の湾曲形状とは全く相違する。具体的には、ウエスト部弾性部材５１および弾性部材７１ａの収縮によって形成される胴回り域の湾曲形状は、おむつ全体を一律に収縮させることにより形成させたものであり、着用者の身体の立体形状に沿わないもので、その結果そのようなおむつを着用すると部分的に緩すぎたり、逆に部分的にきつすぎたりする。これに対して、本発明においてダーツ１４によって形成される立体的な湾曲形状は、着用者の身体の立体形状にぴったりと沿うものである。つまり、おむつ１が着用されると、この立体的な湾曲形状は、同様に立体的である着用者の腰部（腹まわり）にぴったりと沿うようになる。換言すれば、部分的に緩すぎたり、逆にきつすぎたりすることがない。その結果、着用者の腰部（腹まわり）における着用感が極めて良好になる。胴回り域が着用者の体型に沿わない場合には、緩い部分の余った素材が、きつくて素材が足りない部分へ移動しようとするので、おむつの位置ずれが起こりやすいが、本実施形態のおむつ１によれば、そのような素材の過不足状態がほとんど生じないので、ウエスト開口部５におけるおむつ１の位置ずれが起こりにくい。その結果として、ウエスト開口部５からの漏れが起こりにくくなる。
【００２４】
以上の説明から明らかなように、ウエスト開口部５におけるダーツ１４は、平面的であるおむつ１の構成部材（本実施形態では外包材１１）を、着用者の腰部（腹まわり）に沿わせようとするときに、たるみの生じる部分に形成されることが効果的である。
【００２５】
本発明者らの検討の結果、本実施形態のおむつ１のウエスト開口部５においては、図３中、符号９ａ〜９ｄで示される４カ所の部分が、外包材１１のたるみが生じる程度が大きいことが確認されている。これらの部分のうち、符号９ａ，９ｂで示される部分は、縦中心線Ｌ１と腹側部Ａの両側縁Ａ１，Ａ２とのほぼ中間に位置している。一方、符号９ｃ，９ｄで示される部分は、縦中心線Ｌ１と背側部Ｂの両側縁Ｂ１，Ｂ２とのほぼ中間に位置している。
【００２６】
本実施形態のおむつ１においては、ウエスト開口部５に形成されたダーツ１４とは別に、左右のレッグ開口部６における複数の箇所に、その端縁から内方へ向かう略楔形の弾性部材（以下、楔形弾性部材という）９ｅ〜９ｈが取り付けられている。具体的には、外包材１１における肌対向面上に楔形弾性部材９ｅ〜９ｈが取り付けられている。楔形弾性部材９ｅ〜９ｈは少なくとも幅方向に収縮可能なものである。楔形弾性部材９ｅ〜９ｈは伸張状態下にレッグ開口部６に取り付けられている。
【００２７】
楔形弾性部材９ｅ，９ｆは、おむつ１における腹側部Ａ寄りのレッグ開口部６に取り付けられている。一方、楔形弾性部材９ｇ，９ｈは、おむつ１における背側部Ｂ寄りのレッグ開口部６に取り付けられている。各楔形弾性部材９ｅ〜９ｈは、おむつ１の縦中心線Ｌ１に関して対称な位置に取り付けられている。
【００２８】
腹側部Ａ寄りのレッグ開口部６に取り付けられている楔形弾性部材９ｅ，９ｆは、その大きさが異なり、おむつ１の横中心線Ｌ２寄りに取り付けられている楔形弾性部材９ｅよりも、腹側部Ａ寄りに取り付けられている楔形弾性部材９ｆの方が大きな形状となっている。楔形弾性部材９ｅと楔形弾性部材９ｆとはほぼ相似形となっている。楔形弾性部材９ｅ，９ｆは、腹側部Ａのウエスト開口部５の方向を向くように、おむつ１の幅方向に対し傾斜して取り付けられている。楔形弾性部材９ｅ，９ｆは、吸収性コア４と重ならないように取り付けられている。
【００２９】
背側部Ｂ寄りのレッグ開口部６に取り付けられている楔形弾性部材９ｇ，９ｈは、その大きさが異なり、おむつ１の横中心線Ｌ２寄りに取り付けられている楔形弾性部材９ｇよりも、背側部Ｂ寄りに取り付けられている楔形弾性部材９ｈの方が大きな形状となっている。楔形弾性部材９ｇと楔形弾性部材９ｈとはほぼ相似形となっている。楔形弾性部材９ｇ，９ｈは、その先端部が背側部Ｂのウエスト開口部５の方向を向くように、おむつ１の幅方向に対し傾斜して取り付けられている。楔形弾性部材９ｇ，９ｈは、その一部、具体的には先端側の部分が吸収性コア４と重なるように取り付けられている。吸収性コア４は、楔形弾性部材９ｇ，９ｈと重なる部分においては、外包材１１と接合されていないことが好ましい。この理由は、楔形弾性部材９ｇ，９ｈの収縮による外包材１１の収縮を効果的に発現させるためである。
【００３０】
楔形弾性部材９ｅ〜９ｈが取り付けられた後のおむつ１は、その弛緩状態（自然状態）において、楔形弾性部材９ｅ〜９ｈが収縮する。収縮の結果、レッグ開口部６には、先に述べたダーツ１４が形成された場合と同様に、レッグ開口部６が、おむつ１の肌対向面側に立体的に湾曲した形状となる。おむつ１が着用されると、この立体的な湾曲形状は、同様に立体的である着用者の大腿部にぴったりと沿うようになる。その結果、着用者の腰部（腹まわり）に加えて、大腿部における着用感も極めて良好になる。更に、レッグ開口部６におけるおむつ１の位置ずれが起こりにくくなる。その結果として、レッグ開口部６からの漏れが起こりにくくなる。
【００３１】
以上の説明から明らかなように、レッグ開口部６における楔形弾性部材９ｅ〜９ｈは、平面的であるおむつ１の構成部材（本実施形態では外包材１１）を、着用者の大腿部に沿わせようとするときに、たるみの生じる部分に取り付けられることが効果的である。
【００３２】
本発明者らの検討の結果、本実施形態のおむつ１のレッグ開口部６においては、図３中、符号９ｉ〜９ｌで示される４カ所の部分が、外包材１１のたるみが生じる程度が大きいことが確認されている。これらの部分のうち、符号９ｉ，９ｊで示される部分は、横中心線Ｌ２よりも腹側部Ａ寄りの位置である。符号９ｋ，９ｌで示される部分は、横中心線Ｌ２よりも背側部Ｂ寄りの位置である。符号９ｉ，９ｊで示される部分は、横中心線Ｌ２と腹側部Ａの側縁の下端部との中間より腹側部Ａの側縁の下端部寄りに位置している。一方、符号９ｋ，９ｌで示される部分は、横中心線Ｌ２と背側部Ｂの側縁の下端部とのほぼ中間に位置している。
【００３３】
楔形弾性部材９ｅ〜９ｈは、略楔形の弾性シートから構成されている。或いは、図６（ａ）に示すように、二枚の略楔形の非弾性シート１５，１５間に、幅方向へ延びる複数の弾性ストランド１６が伸張状態で挟持固定されているものから構成されている。或いは、図６（ｂ）に示すように、斜辺が曲線を含む二枚の略楔形の非弾性シート１５，１５間に、幅方向へ延びる複数の弾性ストランド１６が伸張状態で挟持固定されているものでもよい。図６（ｂ）に示す場合には、非弾性シート１５における幅広部寄りの位置、及び先端部寄りの位置に弾性ストランド１６がそれぞれ偏倚して配されており、長手方向中央部の位置には弾性ストランドが配されていない。なお図６（ｂ）に示す非弾性シート１５、１５は、斜辺が曲線を含まない略楔形でもよい。
【００３４】
楔形弾性部材９ｅ〜９ｈをレッグ開口部６へ取り付けるときには、これを伸張状態下に取り付ける。取り付けに際し、レッグ開口部６における楔形弾性部材９ｅ〜９ｈが取り付けられる部位（この部位は外包材１１から構成されている）は、そのままの平らな状態でもよく、或いはひだ寄せされた状態でもよい。
【００３５】
楔形弾性部材９ｅ〜９ｈは、該楔形弾性部材９ｅ〜９ｈと接する領域に存在する他の弾性部材よりも、その収縮力が高くなるように取り付けられている。具体的には、楔形弾性部材９ｅ〜９ｈは、他の弾性部材であるレッグ部弾性部材６１ａ，６１ｂと交差するようにレッグ開口部６に取り付けられているから、楔形弾性部材９ｅ〜９ｈの収縮力は、レッグ部弾性部材６１ａ，６１ｂの収縮力よりも高くなるように設定されている。その結果、着用者の動作により着用者の足回り寸法が変化する際、レッグ部弾性部材は変化に追従して伸縮するのに対して、楔形弾性部材は伸縮しづらいことから、立体的な湾曲形状が維持される。ここで収縮力とは、楔形弾性部材を伸張状態にした際に自然状態に戻ろうとする力をいう。また、伸張状態とは楔形弾性部材を最大限伸張させた状態をいい、自然状態とは楔形弾性部材に何らの力を加えていないときの状態をいう。
【００３６】
以上の構成を有する本実施形態のおむつ１は、その着用形態が着用者の身体の立体形状に沿う立体的なものになるので、先に述べた通り、着用感に優れ、また着用中の位置ずれや漏れが起こりにくいものとなる。その上、各弾性部材による身体への押圧がおむつ全体で均一に作用するので、部分的に締め付けが強い部分が発生しづらい。つまり、おむつ１は着用者の身体に（線又は点でなく）面で当接し、しかもその面圧は低いものとなる。また、着用者の動作に起因しておなか回りや足回りの寸法が変化しても、身体の立体形状に沿う立体形状が維持されるので、着用者の動作に起因して部分的に締め付けが強い部分が発生することが起こりづらく、その結果、動作時の着用感にも優れる。
【００３７】
以上、本発明をその好ましい実施形態に基づき説明したが、本発明は前記実施形態に制限されるものではない。例えば前記実施形態においては、ダーツ１４をウエスト開口部５に形成したが、これに代えて又はこれに加えてレッグ開口部６にダーツを形成してもよい。また前記実施形態においては、楔形弾性部材９ｅ〜９ｈをレッグ開口部６に取り付けたが、これに代えて又はこれに加えてウエスト開口部５に楔形弾性部材を取り付けてもよい。
【００３８】
また、ダーツ１４の形成位置や数、或いは楔形弾性部材９ｅ〜９ｈの取付位置や数は、おむつの着用形態が着用者の立体形状に沿う限りにおいて制限はない。
【００３９】
また前記実施形態においては、楔形弾性部材９ｅ，９ｆは、吸収性コア４と重ならないように位置していたが、これに代えて楔形弾性部材９ｅ，９ｆを吸収性コア４と重なるように位置させてもよい。楔形弾性部材９ｅ，９ｆが吸収性コアと重なる場合には、当該重なる部分において吸収性コアは外包材に接合されていないことが好ましい。あるいは、当該重なる部分において吸収性コアが切り欠かれていることが好ましい。
【００４０】
また前記実施形態においては、吸収性コア４における、楔形弾性部材９ｇ，９ｈと重なる部分が、外包材１１と接合されていなかったが、これに代えて、吸収性コア４における、楔形弾性部材９ｇ，９ｈと重なる部分を切り欠いてもよい。
【００４１】
また前記実施形態においては、楔形弾性部材９ｇ，９ｈが、吸収性コア４と重なるように位置していたが、これに代えて楔形弾性部材９ｇ，９ｈを吸収性コア４と重ならないように位置させてもよい。
【００４２】
また前記実施形態においては、ダーツ１４を形成する折り込み部９ａ〜９ｄは、吸収性コア４と重ならないように位置していたが、これに代えて折り込み部を吸収性コア４と重なるように位置させてもよい。ダーツを形成する折り込み部が吸収性コア４と重なる場合には、当該重なる部分において吸収性コア４は外包材に接合されていないことが好ましい。あるいは、当該重なる部分において吸収性コア４が切り欠かれていることが好ましい。
【００４３】
また前記実施形態においては、折り込み部９ａ〜９ｄはおむつ１の肌対向面側に折り込まれていたが、これに代えておむつ外面側に折り込み部を折り込んでもよい。
【００４４】
また前記実施形態においては、楔形弾性部材９ｅ〜９ｈは、外包材１１上に取り付けられていたが、これに代えて、外包材１１における楔形弾性部材を取り付ける位置を切り欠いて、その切り欠いた部分を覆うように楔形弾性部材を取り付けてもよい。
【００４５】
また前記実施形態においては、外包材１１にダーツ１４が形成され、楔形弾性部材９ｅ〜９ｈが取り付けられていたが、これに代えて、液透過性の表面シート及び液不透過性又は撥水性の裏面シートを備え、表面シート及び／又は裏面シートがおむつの輪郭を画成している使い捨ておむつにおいて、表面シート及び／又は裏面シートにダーツを形成してもよく、又は楔形弾性部材を取り付けてもよい。
【００４６】
また、前記実施形態のおむつはパンツ型のものであったが、本発明は他のタイプのおむつにも同様に適用することができる。具体的には、長手方向の一端部の左右両側部にテープファスナが取り付けられている展開型のおむつや、長手方向の一端部の左右両側部からそれぞれ側方に延出し且つ着用者の身体の前側で互いに係止可能な一対の固定用ベルトが取り付けられているタイプのおむつにも同様に適用することができる。
【図面の簡単な説明】
【００４７】
【図１】本発明の使い捨て吸収性物品の一例であるパンツ型使い捨ておむつを示す斜視図である。
【図２】図１に示すおむつを組み立てる途中の状態を示す分解斜視図である。
【図３】図２における外包材の展開状態を示す平面図である。
【図４】略楔形に織り込む部分の形状を示す模式図である。
【図５】ダーツの形状を示す平面図である。
【図６】楔形弾性部材の構造を示す模式図である。
【符号の説明】
【００４８】
１  パンツ型使い捨ておむつ
２  表面シート
３  裏面シート
４  吸収性コア
５  ウエスト開口部
６  レッグ開口部
７  胴回り領域
９ａ，９ｂ，９ｃ，９ｄ  折り込み部
９ｅ，９ｆ，９ｇ，９ｈ  楔形弾性部材
１４  ダーツ
【図１】
2006043124.tif 000003
【図２】
2006043124.tif 000004
【図３】
2006043124.tif 000005
【図４】
2006043124.tif 000006
【図５】
2006043124.tif 000007
【図６】
2006043124.tif 000008